(57)【特許請求の範囲】
【請求項１】
インストルメントパネル（２）の左右方向一側部に設けられる開口部（１３）に，インストルメントパネル（２）の裏側に配設されるスピーカ（１２）の前面を覆う，多数の音孔（３１）を持つスピーカグリル（６）を装着した自動二輪車において，
インストルメントパネル（２）に，前記スピーカグリル（６）に覆われながら前記開口部（１３）を横切るブラケット（２０）の両端部を固着し，このブラケット（２０）に，スピーカグリル（６）を貫通するカラー（２７）を介して，モニタ（８）を着脱可能に保持するモニタホルダ（７）を取り付けたことを特徴とする，自動二輪車のモニタホルダ取り付け構造。
【請求項２】
請求項１記載の自動二輪車のモニタホルダ取り付け構造において，
スピーカグリル（６）と，モニタホルダ（７）に保持されるモニタ（８）との間にはスペース（４２）ができるように，モニタホルダ（７）を構成したことを特徴とする，自動二輪車のモニタホルダ取り付け構造。
【請求項３】
請求項１又は２記載の自動二輪車のモニタホルダ取り付け構造において，
スピーカグリル（６）の裏面にハニカム状の補強リブ（３２）を形成し，前記カラー（２７）を嵌合すべくスピーカグリル（６）に穿設される透孔（２８）を，前記補強リブ（３２）に囲まれる一つの凹所（３３）に開口させたことを特徴とする，自動二輪車のモニタホルダ取り付け構造。
【請求項４】
請求項１〜３の何れかに記載の自動二輪車のモニタホルダ取り付け構造において，
前記ブラケット（２０）を，インストルメントパネル（２）と共に自動二輪車（Ｍ）のフレーム（１０）にボルト結合したことを特徴とする，自動二輪車のモニタホルダ取り付け構造。
【発明の詳細な説明】
【０００１】
【発明の属する技術分野】
本発明は，自動二輪車のモニタホルダ取り付け構造に関する。モニタホルダにはナビゲータ等のモニタが装着される。
【０００２】
【従来の技術】
従来，自動二輪車にモニタホルダを取り付けるに当たっては，モニタホルダを取り付けるためのブラケットをインストルメントパネルに直接ボルト結合していた。
【０００３】
【発明が解決しようとする課題】
上記のような自動二輪車のモニタホルダ取り付け構造では，ブラケットがインストルメントパネル上に露出していて，インストルメントパネルの外観を損なうという欠点がある。
【０００４】
本発明は，そのような欠点を解消した，自動二輪車のモニタホルダ取り付け構造を提供することを目的とする。
【０００５】
【課題を解決するための手段】
上記目的を達成するために，本発明は，インストルメントパネルの左右方向一側部に設けられる開口部に，インストルメントパネルの裏側に配設されるスピーカの前面を覆う，多数の音孔を持つスピーカグリルを装着した自動二輪車において，インストルメントパネルに，前記スピーカグリルに覆われながら前記開口部を横切るブラケットの両端部を固着し，このブラケットに，スピーカグリルを貫通するカラーを介して，モニタを着脱可能に保持するモニタホルダを取り付けたことを第１の特徴とする。
【０００６】
この第１の特徴によれば，インストルメントパネルに，スピーカグリルに覆われながら開口部を横切るブラケットの両端部を固着し，このブラケットに，スピーカグリルを貫通するカラーを介してモニタホルダを取り付けたので，ブラケットをスピーカグリルで覆い隠すことができ，良好な外観を得ながらスピーカグリルに邪魔されることなくモニタホルダをブラケットに取り付けることができる。
【０００７】
しかも両端部を固着されるブラケットの支持剛性は高く，モニタホルダの安定した支持が可能となる。
【０００８】
またモニタホルダをスピーカグリルの周縁近傍に配置することにより，モニタをスピーカグリルの前面から側方に極力ずらせて配置することが可能であり，スピーカグリルを通過するスピーカの発生音の広がりをモニタが妨げるのを回避することができる。
【０００９】
また本発明は，第１の特徴に加えて，スピーカグリルと，モニタホルダに保持されるモニタとの間にはスペースができるように，モニタホルダを構成したことを第２の特徴とする。
【００１０】
この第２の特徴によれば，スピーカグリルを通過するスピーカの発生音の広がりをモニタが妨げることを，より確実に回避することができる。
【００１１】
さらに本発明は，第１又は第２の特徴に加えて，スピーカグリルの裏面にハニカム状の補強リブを形成し，前記カラーを嵌合すべくスピーカグリルに穿設される透孔を，前記補強リブに囲まれる一つの凹所に開口させたことを第３の特徴とする。
【００１２】
この第３の特徴によれば，スピーカグリルの透孔周縁部を補強リブで効果的に補強することができ，カラーの貫通によるスピーカグリルの強度低下を防ぐことができる。
【００１３】
さらにまた本発明は，第１〜第３の特徴の何れかに加えて，前記ブラケットを，インストルメントパネルと共に自動二輪車のフレームにボルト結合したことを第４の特徴とする。
【００１４】
この第４の特徴によれば，ブラケットをインストルメントパネルと共にフレームに強固に固着することができて，ブラケットの支持剛性を効果的に高めることができ，自動二輪車の走行中でも，モニタホルダ及びモニタの振動を抑えることができる。
【００１５】
【発明の実施の形態】
本発明の実施の形態を，図面に示す本発明の実施例に基づき以下に説明する。
【００１６】
図１〜図８は本発明の第１実施例を示すもので，図１は本発明のモニタホルダ取り付け構造を備える自動二輪車の側面図，図２は図１の２矢視図，図３は図２の３−３線断面図，図４はモニタホルダ取り付け構造の要部を示す斜視図，図５はスピーカグリルの正面図，図６はスピーカグリルの裏面図，図７は図３の要部拡大図，図８はモニタホルダ及びモニタを分離状態で示す斜視図，図９は本発明の第２実施例を示す，図３に対応する断面図である。
【００１７】
先ず，図１及び図２において，自動二輪車Ｍの操向ハンドル１の直前に配設されるインストルメントパネル２は，自動二輪車Ｍの車体前部を覆うフェアリング３に一体に形成される。このインストルメントパネル２には，その前縁から起立するバイザ４が形成されると共に，このバイザ４の内側にスピードメータ，タコメータ等のメータ類５が設置され，またメータ類５の左右両側に一対のスピーカグリル６，６が取り付けられる。これらスピーカグリル６，６の一方，図示例では左側のスピーカグリルの前面側に，後述するモニタホルダ７に装着されるナビゲータ用モニタ８が配設される。
【００１８】
図３及び図４に示すように，フェアリング３は，自動二輪車Ｍのフレーム１０に溶接された複数のステー１１Ａ，１１Ｂにボルト止めされる。また一部のステー１１Ｂを利用して，前記スピーカグリル６によって前面を覆われるオーディオ用のスピーカ１２が取り付けられる。インストルメントパネル２には，スピーカ１２の前面に対応した開口部１３と，この開口部１３を囲繞する比較的浅い環状凹部１４が設けられており，この環状凹部１４にスピーカグリル６の周縁に形成された比較的浅い筒部６ａが嵌合されると共に，この筒部６ａ外周面に突設された複数の係止爪１５，１５…（図５及び図６参照）が，環状凹部１４の内周面に形成された複数の係止孔１６，１６…に弾性的に係合される。こうしてスピーカグリル６はインストルメントパネル２に取り付けられる。
【００１９】
モニタ８が配設される側のスピーカグリル６の裏側において，開口部１３を，それの対角方向に横切るブラケット２０（図５参照）がインストルメントパネル２と共にステー１１Ａ，１１Ｂに固着される。このブラケット２０は，モニタ８を保持するモニタホルダ７の支持に供されるのであり，鋼板製で帯状をないしている。
【００２０】
ブラケット２０の一端部は，スピーカグリル６の筒部６ａの内側でインストルメントパネル２の前面に重ねられる。そのインストルメントパネル２の裏面には，ウェルディングナット２１を備えたステー１１Ａが待機しており，そのウェルディングナット２１に，ブラケット２０の一端部及びインストルメントパネル２を貫通するボルト２２を螺着することにより，ブラケット２０の一端部とインストルメントパネル２とがステー１１Ａに共締めされる。
【００２１】
ブラケット２０の他端部も，スピーカグリル６の筒部６ａの内側でインストルメントパネル２の前面に重ねられる。そのインストルメントパネル２の裏面には，ウェルディングナット２３を備えたステー１１Ｂがディスタンスカラー２５を介して待機しており，そのウェルディングナット２３に，ブラケット２０の他端部，インストルメントパネル２及びディスタンスカラー２５を貫通するボルト２４を螺着することにより，ブラケット２０の他端部とインストルメントパネル２とがステー１１Ｂに共締めされる。
【００２２】
上記ブラケット２０に，スピーカグリル６を貫通するカラー２７を挟んでモニタホルダ７が取り付けられる。
【００２３】
即ち，スピーカグリル６には，その上部一角部に近接して透孔２８が穿設され，これにカラー２７が軽圧入される。またブラケット２０の裏面には，このカラー２７と同軸上に並ぶウェルディングナット２９が設けられる。そしてブラケット２０の前面にカラー２７及びモニタホルダ７を順次重ね，これらを貫通するボルト３０をウェルディングナット２９に螺着することにより，モニタホルダ７はブラケット２０に固定される。
【００２４】
図５及び図６において，スピーカグリル６は合成樹脂製であって，その表裏を貫通する無数の音孔３１を有しており，その裏面には，ハニカム状の補強リブ３２が形成されている。前記カラー２７が軽圧入される，スピーカグリル６の前記透孔２８は，補強リブ３２に囲まれる一つの六角凹所３３に開口するように配置される。
【００２５】
図７及び図８に示すように，モニタホルダ７の前面には方形の連結凹部３５ａが設けられ，この連結凹部３５ａは，浸入する雨水を排出し得るように下面を開放している。その開放面に近接してロックレバー３６がモニタホルダ７に軸支される。連結凹部３５ａの上端面は，該凹部３５ａをその奥に向かって広げるように傾斜する斜面３５ａに形成されている。またモニタホルダ７には，複数の電気接点３７Ａが連結凹部３５ａの底面に露出するように埋設されている。
【００２６】
一方，モニタ８の裏面には，上記連結凹部３５ａに対応した方形の連結凸部４０が設けられており，その上下両端面は，連結凸部４０の根元に食い込むように傾斜する斜面４０ａ，４０ｂに形成されている。この連結凸部４０の表面には，その上縁と，左右両側縁に沿って門形のシール部材４１が接着される。このシール部材４１の内側において，前記電気接点３７Ａに対応する複数の電気接点３７Ｂがモニタホルダ７に埋設される。
【００２７】
而して，モニタ８のモニタホルダ７への装着に当たっては，ロックレバー３６をアンロック位置Ｕに置いた状態で，モニタ８の連結凸部４０をモニタホルダ７の連結凹部３５ａに嵌合して，それらの上端の斜面３５ａ，４０ａ同士を当接させ，次いでロックレバー３６をロック位置Ｕへ回動して，該レバー３６のカム部３６ａにより連結凸部４０の下端の斜面４０ｂを押し上げる。こうすると，連結凸部４０は，互いに当接する上端の二斜面３５ａ，４０ａ，並びに下端の斜面４０ｂ及びカム部３６ａによる引き込み作用により連結凹部３５ａ内に引き込まれ，電気接点３７Ａ，３７Ｂが互いに接触すると共に，これら電気接点を囲んでシール部材４１がモニタホルダ７に密着する。互いに接触した電気接点３７Ａ，３７Ｂは，モニタホルダ７及びモニタ８間での電力及び信号の授受を行う。
【００２８】
このようなモニタ８の装着状態では，該モニタ８とスピーカグリル６との間にスピーカ１２の発生音の通過を妨げないスペース４２ができるように，モニタホルダ７は構成される。
【００２９】
次に，この実施例の作用について説明する。
【００３０】
モニタホルダ７の取り付けに当たっては，先ず，スピーカグリル６をインストルメントパネル２から外しておいて，ブラケット２０の両端部を，フレーム１０のステー１１Ａ，１１Ｂにインストルメントパネル２と共にボルト２２，２４をもって固着する。次いで，透孔２８にカラー２７を軽圧入したスピーカグリル６をインストルメントパネル２の環状凹部１４に装着した後，カラー２７の前端にモニタホルダ７を重ね，これらに挿通したボルト３０をブラケット２０のウェルディングナット２９に螺着する。かくしてモニタホルダ７を，スピーカグリル６に邪魔されることなく，容易に取り付けることができ，その取り付け作業性が良好である。しかもブラケット２０及びその固着用のボルト２２，２４をスピーカグリル６により隠すことができて，特別ばカバーを用いることなくインストルメントパネル２の外観を良好に保つことができる。
【００３１】
またブラケット２０は，その両端部がモニタホルダ７の安定した支持が可能となる。その上，ブラケット２０は，インストルメントパネル２と共にフレーム１０のステー１１Ａ，１１Ｂにボルト結合されるので，ブラケット２０をインストルメントパネル２と共にフレーム１０に強固に固着することができて，ブラケット２０の支持剛性を効果的に高めることができる。その結果，自動二輪車Ｍの走行中でも，モニタホルダ７及びモニタ８の振動を抑えることができる。
【００３２】
さらにモニタホルダ７をスピーカグリル６の周縁近傍に配置することにより，モニタ８をスピーカグリル６の前面から側方に極力ずらせて配置することが可能であり，スピーカグリル６を通過するスピーカ１２の発生音の広がりをモニタ８が妨げるのを回避することができる。
【００３３】
さらにまたスピーカグリル６と，モニタホルダ７に保持されるモニタ８との間にスペース４２が設けられるので，スピーカグリル６を通過するスピーカ１２の発生音の広がりをモニタ８が妨げることを，より確実に回避することができる。
【００３４】
さらにまた前記カラー２７が軽圧入されるインストルメントパネル２の透孔２８は，スピーカグリル６裏面に形成されたハニカム状の補強リブ３２に囲まれる一つの凹所３３に開口するように配置されるので，スピーカグリル６の透孔２８周縁部を補強リブ３２で効果的に補強することができ，透孔２８の穿設によるスピーカグリル６の強度低下を防ぐことができる。
【００３５】
モニタ８を使用しないときは，ロックレバー３６をアンロック位置Ｕに回動して，モニタ８をモニタホルダ７から取り外しておくことにより，モニタ８の悪戯や盗難を防ぐことができる。
【００３６】
次に，図９に示す本発明の第２実施例について説明すると，スピーカグリル６の透孔２８に軽圧入されたカラー２７の前端には延長ブラケット４５の一端部が重ねられ，これらに挿通したボルト４６をブラケット２０のウェルディングナット２９に螺着することにより延長ブラケット４５がブラケット２０に固着される。延長ブラケット２０の他端部は，スピーカグリル６の上方に延びており，この他端部の裏面に設けられたウェルディングナット４７に，モニタホルダ７に挿通したボルト４８を螺着することにより，モニタホルダ７は延長ブラケット２０に固着される。その他の構成は前実施例と同様であるので，図９中，前実施例との対応部分には，同一の参照符号を付して，その説明を省略する。
【００３７】
この第２実施例によれば，モニタホルダ７及びモニタ８をスピーカグリル６の上方に配置することができるので，モニタ８の，スピーカグリル６前面との重なり部分を極力少なくして，スピーカグリル６を通過するスピーカ１２の発生音の広がりをモニタ８が妨げることを，より一層確実に回避することができる。
【００３８】
本発明は，上記実施例に限定されるものではなく，その要旨を逸脱しない範囲で種々の設計変更が可能である。
【００３９】
【発明の効果】
以上のように本発明の第１の特徴によれば，インストルメントパネルの左右方向一側部に設けられる開口部に，インストルメントパネルの裏側に配設されるスピーカの前面を覆う，多数の音孔を持つスピーカグリルを装着した自動二輪車において，インストルメントパネルに，前記スピーカグリルに覆われながら前記開口部を横切るブラケットの両端部を固着し，このブラケットに，スピーカグリルを貫通するカラーを介して，モニタを着脱可能に保持するモニタホルダを取り付けたので，ブラケットをスピーカグリルで覆い隠すことができ，良好な外観を得ながらスピーカグリルに邪魔されることなくモニタホルダをブラケットに取り付けることができる。しかも両端部を固着されるブラケットの支持剛性は高く，モニタホルダの安定した支持が可能となる。またモニタホルダをスピーカグリルの周縁近傍に配置することにより，モニタをスピーカグリルの前面から側方に極力ずらせて配置することが可能であり，スピーカグリルを通過するスピーカの発生音の広がりをモニタが妨げるのを回避することができる。
【００４０】
また本発明の第２の特徴によれば，スピーカグリルと，モニタホルダに保持されるモニタとの間にはスペースができるように，モニタホルダを構成したので，スピーカグリルを通過するスピーカの発生音の広がりをモニタが妨げることを，より確実に回避することができる。
【００４１】
さらに本発明の第３の特徴によれば，スピーカグリルの裏面にハニカム状の補強リブを形成し，前記カラーを嵌合すべくスピーカグリルに穿設される透孔を，前記補強リブに囲まれる一つの凹所に開口させたので，スピーカグリルの透孔周縁部を補強リブで効果的に補強することができ，カラーの貫通によるスピーカグリルの強度低下を防ぐことができる。
【００４２】
さらにまた本発明の第４の特徴によれば，前記ブラケットを，インストルメントパネルと共に自動二輪車のフレームにボルト結合したので，ブラケットをインストルメントパネルと共にフレームに強固に固着することができて，ブラケットの支持剛性を効果的に高めることができ，自動二輪車の走行中でも，モニタホルダ及びモニタの振動を抑えることができる。
【図面の簡単な説明】
【図１】本発明の第１実施例に係るモニタホルダ取り付け構造を備える自動二輪車の側面図。
【図２】図１の２矢視図。
【図３】図２の３−３線断面図。
【図４】モニタホルダ取り付け構造の要部を示す斜視図。
【図５】スピーカグリルの正面図。
【図６】スピーカグリルの裏面図。
【図７】図３の要部拡大図。
【図８】モニタホルダ及びモニタを分離状態で示す斜視図。
【図９】本発明の第２実施例を示す，図３に対応する断面図。
【符号の説明】
２・・・・インストルメントパネル
６・・・・スピーカグリル
７・・・・モニタホルダ
８・・・・モニタ
１０・・・フレーム
１２・・・スピーカ
１３・・・開口部
２０・・・ブラケット
２７・・・カラー
２８・・・透孔
３１・・・音孔
３２・・・補強リブ
３３・・・凹所
４２・・・スペース
【図１】
0003554550.tif 000002
【図２】
0003554550.tif 000003
【図３】
0003554550.tif 000004
【図４】
0003554550.tif 000005
【図５】
0003554550.tif 000006
【図６】
0003554550.tif 000007
【図７】
0003554550.tif 000008
【図８】
0003554550.tif 000009
【図９】
0003554550.tif 000010